(57)【特許請求の範囲】
【請求項１】
グリル本体の前面に設けた開口部から内部に被調理物が収納され、グリル調理が行われるグリル庫と、
開閉操作を行うことにより、前記開口部が閉じられた閉止状態と、前記開口部が開放された開放状態とを切り換える、透明な材料からなる窓を備えたグリル扉と、
前記グリル本体の前面に、前記グリル扉と隣り合うように配設され、前記閉止状態における前記グリル扉と面一になるように構成された前面パネルと、を備えたガスグリルであって、
後方に向けて光を照射する発光体を具備し、前記発光体が前記グリル扉の前記窓と対向し、前記窓を経て前記グリル庫内に前記発光体からの光が照射される位置にまで進出した進出位置と、前記グリル扉の開閉を妨げない位置にまで後退した後退位置との間で移動させることができる態様で、前記前面パネルの前面に配設された移動体を備え、
前記移動体が前記後退位置にあるときには、前記発光体が光を照射しない発光体ＯＦＦ状態となり、
前記移動体が前記進出位置にあるときには、前記発光体が光を照射する発光体ＯＮ状態となり、前記発光体からの光が前記グリル扉の前記窓の前方から前記グリル庫内に向けて照射されるように構成されていること
を特徴とするガスグリル。
【請求項２】
前記移動体を前記進出位置から前記後退位置に向けて付勢する付勢手段を備え、
前記後退位置にある前記移動体が、外力の印加によって前記進出位置に移動するとともに、
前記移動体が前記進出位置にある場合において前記外力が解除されたとき、前記進出位置にある前記移動体が、前記付勢手段の付勢力により前記後退位置に移動するように構成されていること
を特徴とする請求項１記載のガスグリル。
【請求項３】
前記移動体は、前記移動体が前記進出位置にある場合において、前記グリル扉における前記窓以外の部分と当接して、前記グリル扉の前方への移動を規制するグリル扉閉止部を備えていることを特徴とする請求項１または２記載のガスグリル。
【発明の詳細な説明】
【技術分野】
【０００１】
本発明は、ガスグリルに関し、詳しくは、グリル扉に窓を設けてグリル庫内部を視認できるようにしたガスグリルに関する。
【背景技術】
【０００２】
ガスグリルの中には、グリル扉に窓を設け、グリル庫の内部を視認して被調理物の調理状態などを確認することができるようにしたガスグリルがある。そして、そのようなガスグリルの１つに、特許文献１に記載されているようなガスグリルがある。
【０００３】
すなわち、特許文献１には、グリル庫の前面開口を開閉するグリル扉に透明な覗き窓を設け、グリル庫内に設けた調理用バーナによりグリル庫内の調理品（被調理物）を加熱して調理するガスグリルであって、グリル庫内の上部に設けられてガスバーナの炎により白熱されるガスマントルを光源として、グリル庫の内部を照明するようにしたガスグリルが開示されている。
【０００４】
そして、この特許文献１のガスグリルによれば、グリル庫内が照明されるため、グリル庫内部の被調理物を透明な覗き窓から目視して、その調理状態を確認しやすくなるとされている。
【先行技術文献】
【特許文献】
【０００５】
【特許文献１】特開平８−１９１７６６号公報
【発明の概要】
【発明が解決しようとする課題】
【０００６】
しかしながら、特許文献１のガスグリルは、ガスの燃焼炎によりガスマントルを白熱させて光源としており、ガスの燃焼による熱エネルギを光エネルギに変換するものであることから、電気エネルギから光エネルギを得る場合に比べて、同じ光エネルギを得るためには多くのエネルギを消費する。したがって、省エネルギの観点からは、改善の余地があるのが実情である。
【０００７】
これに対し、例えば、電球や冷陰極管やＬＥＤなど、電気によって光を照射する発光部をグリル庫内に設け、省エネルギ化を図ることも考えられるが、その場合には、一般的に、グリル調理時のグリル庫内は高温になるため、発光部の耐熱性に関し、新たな問題が生じることになる。
【０００８】
本発明は、上記の課題を解決するものであり、エネルギの消費を抑制しつつ、グリル庫内を確実に照明して、被調理物の調理状態の確認などを容易に行うことが可能で、しかも、発光部の耐熱性に関する問題が生じないガスグリルを提供することを目的とする。
【課題を解決するための手段】
【０００９】
上記の目的を達成するために、本発明のガスグリルは、
グリル本体の前面に設けた開口部から内部に被調理物が収納され、グリル調理が行われるグリル庫と、
開閉操作を行うことにより、前記開口部が閉じられた閉止状態と、前記開口部が開放された開放状態とを切り換える、透明な材料からなる窓を備えたグリル扉と、
前記グリル本体の前面に、前記グリル扉と隣り合うように配設され、前記閉止状態における前記グリル扉と面一になるように構成された前面パネルと、
を備えたガスグリルであって、
後方に向けて光を照射する発光体を具備し、前記発光体が前記グリル扉の前記窓と対向し、前記窓を経て前記グリル庫内に前記発光体からの光が照射される位置にまで進出した進出位置と、前記グリル扉の開閉を妨げない位置にまで後退した後退位置との間で移動させることができる態様で、前記前面パネルの前面に配設された移動体を備え、
前記移動体が前記後退位置にあるときには、前記発光体が光を照射しない発光体ＯＦＦ状態となり、
前記移動体が前記進出位置にあるときには、前記発光体が光を照射する発光体ＯＮ状態となり、前記発光体からの光が前記グリル扉の前記窓の前方から前記グリル庫内に向けて照射されるように構成されていること
を特徴としている。
【００１０】
本発明のガスグリルは、前記移動体を前記進出位置から前記後退位置に向けて付勢する付勢手段を備え、
前記後退位置にある前記移動体が、外力の印加によって前記進出位置に移動するとともに、
前記移動体が前記進出位置にある場合において前記外力が解除されたとき、前記進出位置にある前記移動体が、前記付勢手段の付勢力により前記後退位置に移動するように構成されていること
が好ましい。
【００１１】
また、前記移動体は、前記移動体が前記進出位置にある場合において、前記グリル扉における前記窓以外の部分と当接して、前記グリル扉の前方への移動を規制するグリル扉閉止部を備えていることが好ましい。
【発明の効果】
【００１２】
本発明のガスグリルは、上述のように構成されており、後方に向けて光を照射する発光体を具備し、発光体がグリル扉の窓と対向し、窓を経てグリル庫内に発光体からの光が照射される位置にまで進出した進出位置と、グリル扉の開閉を妨げない位置にまで後退した後退位置との間で移動させることができる態様で、前面パネルの前面に配設された移動体を備え、移動体が後退位置にあるときには、発光体が光を照射しない発光体ＯＦＦ状態となり、移動体が進出位置にあるときには、発光体が光を照射する発光体ＯＮ状態となり、発光体からの光がグリル扉の窓の前方からグリル庫内に向けて照射されるように構成されているので、エネルギーの消費を抑制しつつ、グリル庫内を確実に照明して、グリル庫内の被調理物の調理状態の確認などを容易に行うことが可能で、しかも、発光部の耐熱性に関する問題が生じないガスグリルを提供することができる。
【００１３】
また、移動体を、進出位置から後退位置に向けて付勢する付勢手段を備え、後退位置にある移動体が、外力の印加によって進出位置に移動するとともに、移動体が進出位置にある場合において外力が解除されたとき、進出位置にある移動体が、付勢手段の付勢力により後退位置に移動するように構成した場合、使用者が後退位置にある移動体に外力を印加して移動体を進出位置に移動させることで、発光体ＯＮ状態となり、発光体からの光が窓の前方からグリル庫内に向けて照射され、その状態で使用者が外力を解除すると、移動体が進出位置から後退位置に復帰して発光体ＯＦＦ状態となり、自動的にグリル庫内に向けての照射が終了するので、使い勝手のよいガスグリルを実現することができる。
【００１４】
また、移動体が上述の進出位置にある場合において、グリル扉における窓以外の部分と当接して、グリル扉の前方への移動を規制するグリル扉閉止部を備えた構成とした場合、進出位置において、使用者がグリル扉を開けようとしたときに、窓が移動体と当接して、窓が破損することを防止することが可能になり、使い勝手のよいガスグリルを提供することができる。
【図面の簡単な説明】
【００１５】
【図１】本明の実施形態にかかるガスグリルを備えたグリル付きガスコンロの外観構成を示す正面図である。
【図２】本発明の実施形態にかかるガスグリルを備えたグリル付きガスコンロの要部平断面図であって、移動体が後退位置にある場合を示す図である（グリル取っ手の記載を省略）。
【図３】本発明の実施形態にかかるガスグリルを備えたグリル付きガスコンロの要部平断面図であって、移動体が進出位置にある場合を示す図である（グリル取っ手の記載を省略）。
【図４】本発明の実施形態にかかるガスグリルを備えたグリル付きガスコンロの、グリル扉閉止部およびその近傍の構成を示す図であって、（ａ）は要部を断面とした平面図、（ｂ）は要部を断面とした正面図である。
【発明を実施するための形態】
【００１６】
以下、本発明の実施形態を示して、その特徴とするところをさらに詳しく説明する。
【００１７】
［実施形態］
図１は、本発明の実施形態にかかるガスグリルＧを備えたガスグリル付き２口ガスコンロ（以下、単にグリル付きガスコンロという）を示す図である。
【００１８】
このグリル付きガスコンロ１００は、ガスコンロ本体５の前方に設けた開口部１から被調理物（図示せず）を収納するグリル庫１０を備えている。なお、ガスコンロ本体５は、本発明におけるグリル本体でもある。
【００１９】
また、このグリル付きガスコンロ１００は、開閉操作を行うことにより開口部１を閉じた閉止状態とし、また、開口部１を開放した開放状態とすることができるように構成された、透明な材料（この実施形態では耐熱ガラス）からなる窓２を備えたグリル扉３を備えている。
【００２０】
また、ガスコンロ本体（グリルグリル本体）５の前面には、グリル扉３と隣り合うように、グリル扉３の左側および右側に、前面パネル１１（１１ａ，１１ｂ）が配設されている。
【００２１】
なお、前面パネル１１（１１ａ，１１ｂ）の下側部分には、使用するときには前方に回動して突出し、使用しないとき収納される、いわゆるカンガルーポケット式に構成された左側および右側のコンロ用点消火操作部１２ａ，１２ｂが配設されている。詳しくは、グリル扉３の左側の前面パネル１１ａの下側部分には、左コンロ２１ａ用の点消火操作部１２ａが、グリル扉３の右側の前面パネル１１ｂの下側部分には、右コンロ２１ｂ用の点消火操作部１２ｂが、それぞれ配設されており、左コンロ２１ａ用の点消火操作部１２ａの前面は左側の前面パネル１１ａの一部を構成しており、右コンロ２１ｂ用の点消火操作部１２ｂの前面は右側の前面パネル１１ｂの一部を構成している。
【００２２】
また、左側の前面パネル１１ａの左コンロ２１ａ用の点消火操作部１２ａの上側には、グリルＧ用の点消火操作部１２ｃが配置されている。
【００２３】
このグリル付きガスコンロ１００は、グリル扉３の閉止状態において、グリル扉３の前面と前面パネル１１（１１ａ，１１ｂ）とが面一となるように構成されている。
【００２４】
そして、この実施形態にかかるグリル付きガスコンロ１００は、グリル扉３の右側の前面パネル１１ｂの、右コンロ２１ｂ用の点消火操作部１２ｂの上方の領域に、後方に向けて光を照射する発光体（ＬＥＤ）３１を具備する移動体３０を備えている（図１、図２、図３）。
【００２５】
この移動体３０は、発光体３１がグリル扉３の窓２と対向する位置にまで進出した進出位置（図３に示す位置）と、グリル扉３の開閉を妨げない位置にまで後退した後退位置（図２に示す位置）との間で移動させることができるように構成されている。
【００２６】
そして、図２に示すように、移動体３０が上述の後退位置にあるとき（図２）には、発光体（ＬＥＤ）３１が光を照射しない発光体ＯＦＦ状態となって、発光体３１から光が照射されることがなく、また、図３に示すように、移動体３０が上述の進出位置にあるとき（図３）には、発光体（ＬＥＤ）３１が光を照射する発光体ＯＮ状態となり、発光体（ＬＥＤ）３１からの光がグリル扉３の窓２の前方からグリル庫１０内に向けて照射されるように構成されている。
【００２７】
さらに説明すると、この実施形態にかかるグリル付きガスコンロ１００では、グリル扉３の閉止状態において、移動体３０が使用者に操作されて、発光体３１がグリル扉３と前面パネル１１ｂとの境界Ｂを超えてグリルＧ側に達するまで、（すなわち、本発明における進出位置に達するまで）移動すると、図３に示すように、直流電源（電池）３２と発光体（ＬＥＤ）３１とを接続する配線３３中に介装された接点３４ａ，３４ｂが閉じて、発光体（ＬＥＤ）３１が光を照射する発光体（ＬＥＤ）３１のＯＮ状態となり、発光体（ＬＥＤ）３１からの光が、窓２の前方からグリル庫１０内に向けて照射される一方、進出位置にある移動体３０は、外力が解除されると、グリル扉３の開閉を妨げない位置（すなわち、本発明における後退位置）に後退し、配線３３中に介装された接点３４ａ，３４ｂが開いて、発光体（ＬＥＤ）３１が光を照射しない発光体ＯＦＦ状態となり、発光体３１から光が照射されることがないように構成されている。
【００２８】
なお、この実施形態のグリル付きガスコンロ１００は、図２および図３に示すように、移動体３０を、上記進出位置から後退位置向けて付勢する付勢手段（バネ）３５を備えており、後退位置にある移動体３０（図２）に、使用者の操作による操作力が加わる（外力が印加される）と、移動体３０は進出位置に移動し、進出位置にある移動体３０は、外力が解除されることによって図２の後退位置に復帰するように構成されている。
【００２９】
さらに、この実施形態では、移動体３０が上記の進出位置にある場合において、グリル扉３における窓２以外の部分（この実施形態では、グリル扉３を構成する枠体３ａ）と当接して、グリル扉３が前方に移動すること、すなわち、グリル扉３が開くことを規制するグリル扉閉止部３６を備え、移動体３０が進出位置に進出した状態にあるときに、移動体３０とグリル扉３の窓２とが当接しないように構成されている。
【００３０】
さらに詳しく説明すると、この実施形態のグリル付きガスコンロ１００において、上述の移動体３０は、図４（ａ），（ｂ）に示すように、前面パネル１１（１１ｂ）、グリル扉３に向かって突出した凸部であるグリル扉閉止部３６を備えている。
【００３１】
そして、グリル扉閉止部３６は、前面パネル１１（１１ｂ）に水平方向に形成された移動体スライド溝３７に嵌り込むように形成された、移動体スライド溝３７の幅よりも径方向の寸法の大きい係合部３８と、移動体スライド溝３７を貫通し、係合部３８とグリル扉閉止部３６とを連結する連結部３９を一体に備えている。
【００３２】
このように構成されていることから、発光体（ＬＥＤ）３１、グリル扉閉止部３６などを備えた移動体３０は、移動体スライド溝３７に沿って、上述の後退位置と進出位置の間を円滑に移動し、上述のような機能を果たすことが可能になる。
【００３３】
この実施形態のグリル付きガスコンロ１００は、上述のように構成されているので、エネルギの消費を抑制しつつ、グリル庫１０内を確実に照明して、グリル庫１０内の被調理物の調理状態の確認などを容易に行うことが可能で、しかも、発光部（ＬＥＤ）３１の耐熱性に関する問題が生じることを回避することができる。
【００３４】
また、上述のように移動体３０を付勢する付勢手段（バネ）３５を備え、図２の後退位置にある移動体３０が、外力の印加によって図３に示す進出位置に達し、発光体３１が光を照射する状態になった後、外力を解除することによって移動体３０が図２に示す後退位置に復帰するように構成されているので、使用者が後退位置にある移動体３０（図２）に外力を印加して移動体３０を進出位置に移動させることで、発光体（ＬＥＤ）３１をＯＮ状態として、発光体（ＬＥＤ）３１からの光を窓２の前方からグリル庫１０内に向けて照射し、グリル庫１０の内部を容易に視認することができるとともに、使用者が外力を解除することで、移動体３０が自動的に後退位置に復帰して発光体（ＬＥＤ）がＯＦＦ状態となり、グリル庫１０内に向けての光の照射が終了する、使い勝手の良好なグリル付きガスコンロを提供することができる。
なお、上述の付勢手段（バネ）３５を備えるようにした点は、任意の構成であり、付勢手段（バネ）を備えていない構成とすることも可能である。
【００３５】
また、この実施形態のグリル付きガスコンロ１００においては、上述のように、移動体３０が、前面パネル１１（１１ｂ）、グリル扉３に沿って水平方向に移動可能に構成されており、かつ、移動体３０が進出位置にあるときに、グリル扉閉止部３６がグリル扉３の窓２には当接することなく、枠体３ａに当接して、グリル扉３の前方への移動を規制するようにしているので、移動体３０が進出位置にある場合（図３）に、使用者がグリル扉３を開けようとしたときにも、窓２が移動体３０と当接することを防止して、窓２が破損することを防止できる。
【００３６】
ただし、上述のように移動体３０の動作を規定し、グリル扉閉止部３６がグリル扉３の窓２に当接せず、枠体３ａに当接して、グリル扉３の前方への移動を規制するようにするための構成は、図４（ａ），（ｂ）に示した構成に限られるものではなく、種々の形態とすることが可能である。
【００３７】
また、グリル扉閉止部３６を備えるようにした構成は、任意の構成であり、グリル扉閉止部を備えていない構成とすることも可能である。
【００３８】
また、上記実施形態では、本発明のガスグリルがグリル付きコンロに適用される場合を例示して説明したが、本発明はグリル単能機にも適用することが可能である。
【００３９】
本発明は、さらにその他の点においても上記実施形態や変形例に限定されるものではなく、発明の範囲内において、種々の応用、変形を加えることが可能である。
【符号の説明】
【００４０】
１          開口部
２          窓
３          グリル扉
３ａ        枠体
５          ガスコンロ本体（グリル本体）
１０        グリル庫
１１        前面パネル
１１ａ      左側の前面パネル
１１ｂ      右側の前面パネル
１２ａ      左側コンロ用の点消火操作部
１２ｂ      右側コンロ用の点消火操作部
１２ｃ      グリル用の点消火操作部
２１ａ      左コンロ
２１ｂ      右コンロ
３０        移動体
３１        発光体（ＬＥＤ）
３２        直流電源（電池）
３３        配線
３４ａ，３４ｂ    接点
３５        付勢手段（バネ）
３６        グリル扉閉止部
３７        移動体スライド溝
３８        係合部
３９        連結部
１００      グリル付きガスコンロ
Ｇ          ガスグリル
Ｂ          境界
【図１】
0006654501.tif 000002
【図２】
0006654501.tif 000003
【図３】
0006654501.tif 000004
【図４】
0006654501.tif 000005